(57)【要約】【課題】所定の遊技条件の成立下で開動作して入賞口を開放する入賞口装置であって、より確実に不正を防止できる遊技機の入賞口装置を提供する。【構成】内側ハウジングは、遊技盤面に交差する方向において移動自在であって、遊技盤面から前方の突出位置においてのみ入賞口を囲み遊技球の入球を拒む。外側ハウジングは内側ハウジングの外側の少なくとも一部を囲むようにして遊技盤面に交差する方向において移動自在である。内側ハウジング及び外側ハウジングは、それぞれの位置決めをなす位置決め手段によって移動可能である。【選択図】図２
2008073093.tif 000002
【特許請求の範囲】
【請求項１】
遊技機の遊技盤面に設けられた入賞口を囲んで入賞を拒む入賞口装置であって、
前記遊技盤面に交差する方向において移動自在で且つ前記遊技盤面から前方の突出位置においてのみ前記入賞口を囲んで入賞を拒む内側ハウジングと、
前記遊技盤面に交差する方向において且つ前記内側ハウジングの外側の少なくとも一部を囲むように配置されて移動自在な外側ハウジングと、
前記内側ハウジング及び外側ハウジングの位置決めをなす位置決め手段と、を含むことを特徴とする入賞口装置。
【請求項２】
前記入賞口は、前記遊技盤面から前方に向けて伸張するステージに設けられた上方に向けた開口と、前記開口から前記遊技盤面の後方へと伸長する連通路と、からなることを特徴とする請求項１記載の入賞口装置。
【請求項３】
前記外側ハウジングの頂面は、中央部から側部へ向けて下方へ傾斜した傾斜面を有し中央部において上方へ突出した形状であることを特徴とする請求項１又は２に記載の入賞口装置。
【請求項４】
前記内側ハウジングの外側表面は、前記外側ハウジングの内側表面に近接していることを特徴とする請求項１乃至３のうちの１に記載の入賞口装置。
【請求項５】
前記外側ハウジングの前方端部の厚さを減じるように前方端部内側面が斜面になっていることを特徴とする請求項１乃至４のうちのいずれか１に記載の入賞口装置。
【請求項６】
前記位置決め手段は、前記外側ハウジングを突出せしめた後に前記内側ハウジングを突出せしめることを特徴とする請求項１乃至５のうちのいずれか１に記載の入賞口装置。
【請求項７】
前記位置決め手段は、前記外側ハウジング及び内側ハウジングを同時に後退せしめることを特徴とする請求項１乃至６のうちのいずれか１に記載の入賞口装置。
【発明の詳細な説明】
【技術分野】
【０００１】
本発明は、パチンコ機の如き遊技機において所定の遊技条件の成立下で開動作して入賞口を開放する開閉部材を含む入賞口装置に関し、特に開閉部材の不正開動を防止し得る入賞口装置に関する。
【背景技術】
【０００２】
パチンコ機の如き遊技機において、例えば内部抽選の結果、「当たり」を得たときにのみ開動作して、遊技盤面に設けられた入賞口を開放する開閉部材を含む入賞口装置を取り付けた遊技機がある。該開閉部材は、開動作することで遊技球の落下流路内に突出して、遊技盤上を落下する遊技球を捕捉し、これを入賞口に導くのである。
【０００３】
詳細には、入賞口装置の開閉部材は、水平方向に細長い略矩形の板状部材であって、その下方端部において水平方向に伸長する回転軸を有している。また入賞口は遊技盤面に貫通口として設けられている。通常遊技時には開閉部材が遊技盤面と一体となって入賞口をその前方から閉塞している。ここで、遊技盤面に設けられたスタートチャッカーと呼ばれる抽選入賞口に遊技球が入球すると、遊技機の内部において抽選が行われる。抽選の結果、「当たり」の場合にあっては、遊技は通常遊技から特別遊技に移行するのである。
【０００４】
特別遊技への移行において、入賞口装置の開閉部材は、回転軸から離間した上方端部を遊技盤の手前側に倒すようにして回動する。これにより遊技盤面に設けられた入賞口が外部に曝されて開放されるのである。開閉部材は遊技盤面とほぼ垂直な位置で停止すると、遊技盤面上を落下する遊技球のほとんどは該開閉部材上に捕捉されて、開放された入賞口へと導かれる。入賞口を遊技球が通過する毎に一定数の賞球が遊技者に払い戻されるが、一定時間の経過若しくは一定数の遊技球が入賞口を通過すると特別遊技は終了して通常遊技に戻る。
【０００５】
通常遊技への移行において、入賞口装置の開閉部材は、通常遊技から特別遊技へ移行する時と逆方向に回動して、開閉部材が遊技盤面と一体となって、再び入賞口を閉塞するのである。
【０００６】
上記した如き入賞口装置を有する遊技機において、遊技機の側部からピアノ線などを遊技領域に挿入して、開閉部材を強制的に回動せしめた上で、遊技球を入賞口に入球させて賞球を不正に得る行為があるとされている。これに対して、かかる不正行為を防止する機能を具備した遊技機が開発されている。
【０００７】
特許文献１では、入賞口装置の開閉部材を回動させるための信号が生成されてない状態で、該入賞口装置に遊技球が入賞したことを示す信号が生成されると、異常を報知する遊技機が開示されている。かかる遊技機では特別な装置の追加なしに遊技機の内部のソフトウェアの変更で上記した如き不正行為を防止することが出来るのである。ところで、遊技中の遊技機のトラブルに対する補償や、ホールの営業時間終了時の遊技の強制終了に対する補償について、ホールの係員が入賞口装置の開閉部材を回動させて遊技球を入賞口に入れて賞球を補償する場合があった。かかる遊技球の補償行為について、特許文献１に開示の装置を有する遊技機では、ホールの係員の賞球の補償行為を不正行為と判定してしまうので、遊技機の取り扱いに不便なところがあった。
【０００８】
これに対して、特許文献２では、入賞口装置の開閉部材の前方に開放阻止部材を移動自在に設けて、該開放阻止部材を移動せしめないと、開閉部材を回動できないようにした入賞口装置を開示している。入賞口は開放阻止部材及び開閉部材の二段階の移動動作を経ないと開放されないので、上記した如きピアノ線を使用した不正を困難にする一方で、ホールの係員の賞球の補償行為を妨げることはないのである。
【特許文献１】特開平１１−１６４９５０号公報
【特許文献２】特開２００３−３１０９７２号公報
【発明の開示】
【発明が解決しようとする課題】
【０００９】
特許文献２に開示の入賞口装置では、開閉部材は従来と同じ機構で開動作するため、開放阻止部材さえ移動せしめることができれば、上記したと同様のピアノ線を使用した不正行為によって入賞口を開放することが容易に出来てしまう。故に、不正を確実に防止するには至ってはいなかった。
【００１０】
そこで本発明の目的は、所定の遊技条件の成立下で開動作して入賞口を開放する入賞口装置であって、より確実に不正を防止できる遊技機の入賞口装置を提供することにある。
【課題を解決するための手段】
【００１１】
本発明による遊技機の入賞口装置は、遊技機の遊技盤面に設けられた入賞口を囲んで入賞を拒む入賞口装置であって、前記遊技盤面に交差する方向において移動自在で且つ前記遊技盤面から前方の突出位置においてのみ前記入賞口を囲んで入賞を拒む内側ハウジングと、前記遊技盤面に交差する方向において且つ前記内側ハウジングの外側の少なくとも一部を囲むように配置されて移動自在な外側ハウジングと、前記内側ハウジング及び外側ハウジングの位置決めをなす位置決め手段と、を含むことを特徴とする。
【００１２】
本発明によれば、内側ハウジングを遊技盤面前方の突出位置から遊技盤面に交差する方向を後方に直線移動せしめなければ入賞口を開放することは出来ない。つまり、内側部材の直線運動によって入賞口が開放されるが、その移動方向が遊技盤面に交差する方向である故、遊技機の側方からピアノ線を遊技機の内部に挿入したとしても、その挿入方向と直角方向に開閉部材を移動せしめることは非常に困難なのである。しかも外側ハウジングが内側ハウジングの少なくとも一部を囲むようにして外側にあるため、ピアノ線が内側ハウジングに到達することさえも困難なのである。以上の如く、本発明によれば、より確実に不正を防止出来るのである。
【００１３】
また、入賞口の閉塞及び開放は、内側ハウジング及び外側ハウジングの２つの部材の遊技盤面に交差する方向における直線運動によって行われ得て、従来の入賞口装置の如く、開閉部材の回転運動によって入賞口を閉塞及び開放するのとは、運動形態が全く異なっている。故に、動作の斬新さを遊技者に訴えることが出来るのである。
【発明を実施するための形態】
【００１４】
本発明の１つの実施例による入賞口装置は、パチンコ機の如き、遊技盤の遊技領域に遊技球を打ち出して遊技を行う遊技機に取り付けられる。遊技機の遊技領域内の下側部分、例えば、遊技領域の中央部に設置される中央役物装置の下方には、後述する外側ハウジング及び内側ハウジングが貫挿される略矩形の貫通穴が設けられている。貫通穴の下方には、遊技盤面よりも前方へ向けて伸長し、その内部を遊技球が通過可能な連通路が設けられている。連通路の前方端部には入賞口が上方に開口を向けて設けられている。
【００１５】
遊技盤の貫通穴には、内側ハウジングが貫挿されており、遊技盤面に交差する方向、すなわち遊技盤の前後方向に移動自在に支持されている。ここで、内側ハウジングが遊技盤面から前方の突出位置に移動して連通路に設けられた入賞口の上に位置すると、入賞口は内側ハウジングによって囲まれて遊技球の入賞を拒まれてしまうのである。つまり、上方から落下してくる遊技球は入賞口に入ることが出来ないのである。一方、内側ハウジングが遊技盤面から後方の収縮位置にあるとき、内側ハウジングによって囲まれていた入賞口は開放されて、上方から落下してくる遊技球が入賞口に入球可能である。つまり、内側ハウジングを遊技盤面前方の突出位置から遊技盤面に交差する方向を後方に直線移動せしめなければ入賞口を開放することは出来ないのである。
【００１６】
従来の入賞口装置の開閉部材は回転運動によって入賞口を開放していたため、いわゆる「てこの原理」により、遊技機の外部から挿入したピアノ線によって開閉部材の回転軸から離間した端部を容易に移動せしめることができてしまったのである。しかしながら、本実施例によれば、開閉部材としての内側ハウジングの直線運動によって入賞口が開放されるが、その移動方向が遊技盤面に交差する方向である故、これと垂直な方向である遊技機の側方からピアノ線を内部に挿入したとしても内側ハウジングを移動せしめる力を与えることは困難なのである。
【００１７】
更に、遊技盤の貫通穴には、内側ハウジングの少なくとも一部、好ましくは内側ハウジングの上部及び側部を外側から囲むようにして、外側ハウジングが貫挿されている。つまり内側ハウジングの外側表面は、外側ハウジングの内側表面に近接しているのである。外側ハウジングは、内側ハウジングと同様、遊技盤面に交差する方向、すなわち遊技盤の前後方向に且つ内側ハウジングの外側で移動自在に支持されている。外側ハウジング及び内側ハウジングが遊技盤面から前方の突出位置にともにあるとき、外側ハウジングが内側ハウジングの少なくとも一部を外側から囲んでいるのである。すなわち、遊技機の外部からピアノ線を遊技領域に挿入したとしても、外側ハウジングに妨害されてピアノ線は内側ハウジングに到達すら出来ない。よって、内側ハウジングをピアノ線によって突出位置から収縮位置へ移動せしめることはできないのである。
【００１８】
以上の如く、本実施例によれば、より確実に不正を防止出来るのである。
【００１９】
なお、内側ハウジング及び外側ハウジングは位置決め手段に係合しており、それぞれ独立して突出位置及び収縮位置の間を移動自在である。内側ハウジング及び外側ハウジングは、位置決め手段からの駆動力なしに、例えば、直接、内側ハウジング及び外側ハウジングに力を付与しても移動出来ないような、例えば、ウオームギアを用いた駆動機構などを有することがより好ましい。
【００２０】
次に、上記した実施例の入賞口装置の動作について説明する。
【００２１】
入賞口装置は、通常遊技時には、外側ハウジング及び内側ハウジングとも遊技盤前方の突出位置にあって、入賞口は内側ハウジングによって囲われている。所定の特別遊技時には、位置決め手段によって、外側ハウジング及び内側ハウジングの双方を同時に若しくはいずれかを順番に遊技盤後方の収縮位置に移動せしめるのである。外側ハウジング及び内側ハウジングが収縮位置に移動すると、入賞口が開放されて遊技球がこの中に入ることが可能となるのである。
【００２２】
所定の条件下で特別遊技が終了すると、位置決め手段は、まず外側ハウジングを収縮位置から前方の突出位置に移動させる。外側ハウジングが内側ハウジングの上部及び側部を囲むような形状のとき、落下してくる遊技球はもはや外側ハウジングの内側に入ることは出来ないのである。一方、外側ハウジングが突出位置に達した時点では、未だ外側ハウジングの内側にある遊技球は入賞口に回収されていない場合がある。そこで位置決め手段は、外側ハウジングが突出位置に達して停止し、全ての遊技球が入賞口に回収された後に、内側ハウジングを収縮位置から突出位置に移動させて通常遊技に戻るのである。かかる動作により、内側ハウジングとその前方にある保護ガラスとの間に遊技球が挟まれてしまうことを防止出来るのである。
【００２３】
更に、本発明による遊技機の入賞口装置の１つの実施例について図１乃至図１０を参照しつつ、詳細に説明する。
【００２４】
特に図１に示すように、遊技機１はパチンコ機の如き、遊技者のハンドル２の操作によって遊技球を遊技盤３の遊技領域３ａの上部に向けて打ち出して遊技を行う遊技機である。遊技領域３ａの中央部には中央役物装置４が設置されている。中央役物装置４の中央部には前方へ向けて矩形の開口を有する凹部４ａがあって、凹部４ａの後方には液晶パネルの如き、表示器５が配置されている。
【００２５】
なお、以下において、遊技機１を正面から見て、左下に原点を定め、図１に示した如く、Ｘ軸、Ｙ軸を定め、紙面垂直後方に向けてＺ軸を定める。ここで、Ｘ軸と平行方向を水平方向、Ｚ軸の正の方向を後方、負の方向を前方、Ｙ軸正の方向を上方、負の方向を下方と称することとする。
【００２６】
遊技機１を正面から見て、中央役物装置４の左側には通常入賞口６が設置されている。また、中央役物装置４の下方には、電動チューリップの如き可動片を有する始動入賞口（チャッカー）７が設けられている。始動入賞口７の可動片は、通常入賞口６への遊技球の入球に応じて開閉する。始動入賞口７に遊技球が入球すると、これを図示しないセンサーが検知してＣＰＵ５０の内部で抽選が行われる。この抽選の結果、「当たり」が得られると、その旨が表示器５に表示されるとともに、後述するように入賞口装置１０の入賞口１４（図７参照）が開放されて通常遊技から特別遊技へと移行するのである。
【００２７】
図２乃至図５に示すように、始動入賞口７の下方にある入賞口装置１０は、遊技盤３に貫通孔３ｂを設けて取り付けられる。基板１１は、入賞口装置１０を貫通孔３ｂに取り付けたときに遊技盤３と一体をなす。基板１１には後述する外側ハウジング２１の外形に対応した貫通孔であるハウジング収容孔１２が設けられている。
【００２８】
ハウジング収容孔１２の下方には、基板１１から前方へ向けて伸張し、その内部を遊技球が通過可能な連通路１３が形成されている。連通路１３の前方端部には上方に開口を向けた入賞口１４が設けられている。すなわち、入賞口１４に入球した遊技球は、連通路１３を通って遊技機の内部に回収されるのである。
【００２９】
ハウジング収容孔１２の下辺部に沿って基板１１には、水平方向（Ｘ軸と平行方向）に中央部から両端部に向けて上方に傾斜したＶ字ステージ１５が設置されている。Ｖ字ステージ１５の中央部、すなわち最も低い位置には入賞口１４が設けられている。つまりＶ字ステージ１５上に落下した遊技球はＶ字ステージ１５に沿って転動して入賞口１４に落下するのである。
【００３０】
特に図３を参照すると、ハウジング収容孔１２に貫挿される外側ハウジング２１は、互いに対向しつつ直立した側壁２１ａと、２つの側壁２１ａの上端部間を架橋するようにして且つその中央部において上方に突出した屋根部２１ｂとからなる。外側ハウジング２１の側壁２１ａの外側部には、Ｚ軸正方向へ向けて水平に伸張する溝部２３が形成されている（１つのみ図示）。ここで図２を併せて参照すると、ハウジング収容孔１２の両側部であって基板１１の後方には、Ｘ軸と平行方向に、ハウジング収容孔１２の中央へ向けた突起１２ａが形成されている（１つのみ図示）。つまり、外側ハウジング２１がハウジング収容孔２１に手前側から貫挿されると、外側ハウジング２１の外表面は、ハウジング収容孔１２の内側面に対向するとともに、突起１２ａが外側ハウジング２１の側壁２１ａの溝部２３内に収容されるのである。これにより、突起２４が溝部２３内を摺動自在に移動するとともに、外側ハウジング２１は基板１１と垂直方向に移動自在なのである。
【００３１】
更に、外側ハウジング２１の側壁２１ａの内表面であって後方寄りには、外側ハウジング２１の中央方向に向けて水平に伸張する突起２４が形成されている（１つのみ図示）。
【００３２】
なお、外側ハウジング２１の前方端部の内側面は、傾斜した傾斜部２１ｃを有していることが好ましい。すなわち、外側ハウジング２１は先端方向に行くに従ってその厚さが減じられるように内側面を切削した傾斜部２１ｃを有しているのである。後述するように、前面ガラス８と外側ハウジング２１との間に遊技球が挟まれないようにするためである（図９参照）。
【００３３】
特に図４及び図５を参照すると、内側ハウジング２５は、互いに対向しつつ直立した側壁２５ａと、２つの側壁２５ａの上方端部を架橋するようにして、その中央部において上方に突出した屋根部２５ｂと、前方を覆う略５角形の前方板２５ｃと、からなる。内側ハウジング２５の側壁２５ａの外側部には、Ｚ軸正の方向へ向けて水平に伸張する溝部２６が形成されている。
【００３４】
外側ハウジング２１がハウジング収容孔１２に手前側からＺ軸正の方向に向けて貫挿されて、更に、外側ハウジング２１の内部に内側ハウジング２５が手前側からＺ軸正の方向に向けて貫挿されると、内側ハウジング２５の外表面は、外側ハウジング２１の内側面に対向するとともに、突起２４は、内側ハウジング２５の側壁２５ａの溝部２６内に収容されるのである。これにより、突起１２ａは摺動自在に溝部２６内を移動するとともに、内側ハウジング２５は基板１１と垂直方向に移動自在なのである。
【００３５】
特に図８乃至図１０を参照すると、基板１１の後方には、外側ハウジング２１及び内側ハウジング２５を独立してＺ軸と平行方向に移動せしめるための位置決め手段が設けられている。内側ハウジング２５を移動せしめるための第１の位置決め機構４１は、ハウジング収容孔１２の後方下部に設置される。第１の位置決め機構４１は図示しないモータ、歯車機構などを含み、駆動バー４２を前後に移動自在である。駆動バー４２の前方端部は、内側ハウジング２５の前方板２５ｃの背面に係合している。ＣＰＵ５０から所定の信号を入賞口開閉制御部５１が受信すると、駆動バー４２をＺ軸と平行方向に移動せしめて、内側ハウジング２５をハウジング収容孔１２に対してＺ軸と平行方向に移動するのである。
【００３６】
外側ハウジング２１を移動せしめるための第２の位置決め機構４５は、ハウジング収容孔１２の後方上部に設置される。第２の位置決め機構４１も図示しないモータ、歯車機構などを含み、駆動ローラ４６を回転軸を中心に双方向に回転自在である。駆動ローラ４６は外側ハウジング２１の頂部に当接しており、ＣＰＵ５０から所定の信号を入賞口開閉制御部５１が受信すると、駆動ローラ４６が回転して、摩擦力により外側ハウジング２１をハウジング収容孔１２に対してＺ軸と平行方向に移動するのである。
【００３７】
ここで、第１の位置決め機構４１の筐体の前後２箇所には、上方に向けて伸長するステイ４８が立設されており、上方端部には遊び車４７が回転自在に軸支されている。これにより外側ハウジング２１が前方に位置するときは、前方の遊び車４７と駆動ローラ４６によって外側ハウジング２１の頂部を上下から挟持するのである（図８参照）。一方、外側ハウジング２１が後方に位置するときは、前後２つの遊び車４７と駆動ローラ４６によって外側ハウジング２１の頂部を上下から挟持するのである（図８参照）。外側ハウジング２１は突出位置において上方から落下する遊技球が衝突するため、その動作が不安定になりやすい。しかしながら、駆動ローラ４６と遊び車４７によって上下から挟持する上記した機構を採用することで、動作の安定性を確保出来るのである。
【００３８】
なお、内側ハウジング２５が前方の突出位置（図８参照）から後方に移動しても、内側ハウジング２５の頂部には、後方へ向けた切り欠き２５ｄが形成されているので、遊び車４７及びステイ４８は内側ハウジング２５と干渉しないのである。
【００３９】
次に、上記した本発明による遊技機の入賞口装置の１つの実施例の動作について、詳細に説明する。
【００４０】
特に図２及び図８に示すように、通常遊技状態では、外側ハウジング２１及び内側ハウジング２５とも遊技盤３及び基板１１の前方の突出位置にあって、その前方端部を遊技機１の保護ガラス窓８に近接させている。この状態で、外側ハウジング２１及び内側ハウジング２５とも連通路１３及びＶ字ステージ１５に設けられた入賞口１４の上にあって、少なくとも内側ハウジング２５は入賞口１４を囲んでいる。よって遊技球が遊技盤３に沿って落下してきても、入賞口１４に入ることは出来ず、その頂部が中央部において突出した形状の外側ハウジング２１に衝突して入賞口装置１０の両側部から更に落下するのである。
【００４１】
ＣＰＵ５０における内部抽選の結果、「当たり」が得られた場合は、特別遊技へ移行する。つまり、入賞口１４を開放して遊技者に容易に賞球を得ることができる機会を付与するのである。
【００４２】
特に図６及び図９に示すように、ＣＰＵ５０から信号を受けた入賞口開閉制御部５１は第１の位置決め機構４１の図示しないモータを回動させて、駆動バー４２を後方へと引き込むのである。駆動バー４２には内側ハウジング２５が接続しているため、内側ハウジング２５はステージ１５の上に沿って、ハウジング収容孔１２の中を後方へと移動するのである。内側ハウジング２５の前方端部が入賞口１４よりも後方に位置すると、内側ハウジング２５は停止する。好ましくは、内側ハウジング２５の前方端部が基板１１とほぼ同一平面内に位置する。
【００４３】
内側ハウジング２５の移動と同時若しくは遅れて、入賞口開閉制御部５１は第２の位置決め機構４５の図示しないモータを回動させて、駆動ローラ４６を回転せしめる。このとき、駆動ローラ４６及び遊び車４７によって外側ハウジング２１の頂部を上下方向から挟んでいるので、駆動ローラ４６の回転力により、外側ハウジング２１が後方へと移動するのである。
【００４４】
なお、内側ハウジング２５及び外側ハウジング２１は、位置決め機構４１及び４５からの駆動力なしに、例えば、直接、内側ハウジング２５及び外側ハウジング２１に力を付与しても移動出来ないような機構を有することがより好ましい。例えば、外側ハウジング２１及び内側ハウジング２５はラック・アンド・ピニオン機構などで移動せしめることで、遊技機１の外部から不正にこれらを移動せしめることがより困難になるのである。
【００４５】
特に図７及び図１０に示すように、外側ハウジング２１の前方端部が内側ハウジング２５の前方端部とほぼ同じ位置に達すると、外側ハウジング２１は停止して、入賞口１４が完全に解放される。かかる特別遊技状態では、遊技盤に沿って落下する遊技球はＶ字ステージに捕捉されてこの上を転動して入賞口１４へと導かれるのである。
【００４６】
入賞口１４を遊技球が通過すると所定数の賞球が遊技者に払い戻されるが、賞球数が一定数に達したとき、若しくは、所定時間が経過すると、特別遊技は終了して通常遊技に戻るのである。ＣＰＵ５０は、入賞口開閉制御部５１にその旨を示す信号を送出する。
【００４７】
特に図６及び図９に示すように、入賞口開閉制御部５１は第２の位置決め機構４５の図示しないモータを回動させて、駆動ローラ４６を通常遊技から特別遊技に移行するときとは反対方向に回転せしめる。これにより、外側ハウジング２１は前方へと移動するのである。このとき内側ハウジング２５は移動しない。外側ハウジング２１の前方端部が保護ガラス窓８に近接する突出位置、すなわち、通常遊技での外側ハウジング２１の停止位置に到達すると、外側ハウジング２１は停止する。このとき、外側ハウジング２１の前方端部の傾斜部２１ｃにより、保護ガラス窓８との間に遊技球を噛んでしまうことが防止出来るようになっている。
【００４８】
ところで、外側ハウジング２１が突出位置に達したときであっても、既に外側ハウジング２１の内部に入っていた遊技球は、Ｖ字ステージ１５上に未だ滞留している場合がある。かかる遊技球を入賞口１４内に回収することなしに内側ハウジング２５が突出位置に移動してしまうと、保護ガラス窓８と内側ハウジング２５との間に遊技球が挟まれてしまうのである。そこで、所定時間の経過後、若しくは、所定のセンサー（図示せず）で遊技球が外側ハウジング２１の内部に存在しないことを確認した上で、第２の位置決め機構４１を動作せしめるのである。これにより、内側ハウジング２５が突出位置に移動して再び通常遊技に戻るのである。
【００４９】
本実施例によれば、内側ハウジング２５を遊技盤３の前方の突出位置から遊技盤面に交差する方向、すなわち後方に直線移動せしめなければ入賞口１４を開放することは出来ないのである。すなわち、遊技機１の側方からピアノ線を内部に挿入してもこれと垂直方向である遊技盤面に交差する方向へ押し込むことは非常に困難である故、内側ハウジング２５を不正に移動せしめることを防止出来るのである。しかも外側ハウジング２１が内側ハウジング２５を包囲しているため、ピアノ線が内側ハウジング２５に到達することさえも困難である。以上の如く、より確実に不正を防止出来るのである。
【００５０】
また、入賞口１４の閉塞及び開放は、内側ハウジング２５及び外側ハウジング２１の遊技盤面に交差する方向、すなわち前後への直線運動によって行われ得るため、従来の入賞口装置における開閉部材の回転運動による入賞口の閉塞及び開放とは運動が全く異なっており、動作の斬新さを遊技者に訴えることが出来るのである。
【図面の簡単な説明】
【００５１】
【図１】本発明による入賞口装置を含む遊技機の正面図である。
【図２】本発明による入賞口装置を含む遊技機の部分拡大斜視図である。
【図３】本発明による入賞口装置の構成部品の斜視図である。
【図４】本発明による入賞口装置の構成部品の斜視図である。
【図５】本発明による入賞口装置の構成部品の斜視図である。
【図６】本発明による入賞口装置を含む遊技機の部分拡大斜視図である。
【図７】本発明による入賞口装置を含む遊技機の部分拡大斜視図である。
【図８】本発明による入賞口装置を含む遊技機の要部の断面図である。
【図９】本発明による入賞口装置を含む遊技機の要部の断面図である。
【図１０】本発明による入賞口装置を含む遊技機の要部の断面図である。
【符号の説明】
【００５２】
１                遊技機
２                ハンドル
３                遊技盤
３ａ              遊技領域
３ｂ              貫通孔
４                中央役物装置
５                表示器
６                通常入賞口
７                始動入賞口（チャッカー）
８                前面ガラス窓
１０              入賞口装置
１１              基板
１２              ハウジング収容孔
１２ａ、２４      突起
１３              連通路
１４              入賞口
１５              Ｖ字ステージ
２１              外側ハウジング
２１ａ            側壁
２１ｂ            屋根部
２１ｃ            傾斜部
２３、２６        溝部
２５              内側ハウジング
４１              第１の位置決め機構
４２              駆動バー
４５              第２の位置決め機構
４６              駆動ローラ
４７              遊び車
４８              ステイ
５０              ＣＰＵ
５１              入賞口開閉制御部
【図１】
2008073093.tif 000003
【図２】
2008073093.tif 000004
【図３】
2008073093.tif 000005
【図４】
2008073093.tif 000006
【図５】
2008073093.tif 000007
【図６】
2008073093.tif 000008
【図７】
2008073093.tif 000009
【図８】
2008073093.tif 000010
【図９】
2008073093.tif 000011
【図１０】
2008073093.tif 000012